(57)【特許請求の範囲】
【請求項１】
開閉自在なシートの下方に位置するとともに車体カバーで覆われる空間に収納ボックスを配置して成る自動二輪車に、盗難防止装置を収納する構造であって、
前記収納ボックスとこれに近接配置された他の部品との間に、前記シートを開けると上方が開口し且つ前記盗難防止装置の少なくとも一部を収納するに十分な車体前後方向の幅を有する空間を上下に貫設し、該空間に盗難防止装置の少なくとも一部を収納するようにしたことを特徴とする自動二輪車の盗難防止装置収納構造。
【請求項２】
前記盗難防止装置の大径部分を前記空間の上方へ出してこれを支持し、他の小径部分を前記空間に収納するようにしたことを特徴とする請求項１記載の自動二輪車の盗難防止装置収納構造。
【発明の詳細な説明】
【０００１】
【発明の属する技術分野】
本発明は、開閉自在なシートの下方に位置するとともに車体カバーで覆われる空間に収納ボックスを配置して成る自動二輪車の盗難防止装置収納構造に関する。
【０００２】
【従来の技術】
自動二輪車においては、これの盗難を防ぐために駐車中にＵロック等の盗難防止装置を用いて車輪の回転をロックすることが行われるが、盗難防止装置は、その使用目的と構造のために重く、且つ、比較的大きく作られている。
【０００３】
【発明が解決しようとする課題】
しかしながら、従来の自動二輪車にあっては、盗難防止装置を収納するための専用の収納部が設けられていなかったため、ユーザーは盗難防止装置を荷台にぶら下げたり、ヘルメット等を収納するための収納ボックス内に収納せざるを得なかった。このため、荷台に荷物を積載したり、収納ボックス内に多くのものを収納している場合には、盗難防止装置をぶら下げたり、収納することができないという問題があった。
【０００４】
又、泥等が付着した盗難防止装置を収納ボックスにそのまま収納すると、収納ボックス内が泥等で汚れるという問題もあった。
【０００５】
本発明は上記問題に鑑みてなされたもので、その目的とする処は、収納ボックスへの荷物の収納状況等に拘らず、盗難防止装置を専用の空間に確実に、且つ、コンパクトに、更には他の物を汚すことなく収納することができる自動二輪車の盗難防止装置収納構造を提供することにある。
【０００６】
【課題を解決するための手段】
上記目的を達成するため、請求項１記載の発明は、開閉自在なシートの下方に位置するとともに車体カバーで覆われる空間に収納ボックスを配置して成る自動二輪車に、盗難防止装置を収納する構造として、前記収納ボックスとこれに近接配置された他の部品との間に、前記シートを開けると上方が開口し且つ前記盗難防止装置の少なくとも一部を収納するに十分な車体前後方向の幅を有する空間を上下に貫設し、該空間に盗難防止装置の少なくとも一部を収納するようにしたことを特徴とする。
【０００７】
又、請求項２記載の発明は、請求項１記載の発明において、前記盗難防止装置の大径部分を前記空間の上方へ出してこれを支持し、他の小径部分を前記空間に収納するようにしたことを特徴とする。
【０００８】
従って、本発明によれば、盗難防止装置を収納するための専用の収納空間が収納ボックス等とは別に設けられるため、収納ボックスへの荷物の収納状況に拘らず、ユーザーはシートを開けることによって盗難防止装置を専用の空間に常に確実に、且つ、コンパクトに収納することができ、或は空間に収納されていた盗難防止装置を容易に取り出してこれを使用することができる。そして、盗難防止装置を空間に収納した状態でシートを閉めれば、盗難防止装置はシート及び車体カバーによって完全に覆われて外部に露出することがないため、自動二輪車の外観性が盗難防止装置によって損なわれることがなく、盗難防止装置自体の盗難も防がれる。
【０００９】
又、本発明によれば、盗難防止装置を収納するための空間は収納ボックス等とは完全に分離されているため、濡れたり、泥で汚れたりした盗難防止装置をそのまま収納しても、収納ボックス等が盗難防止装置によって汚れることがなく、収納ボックス等は常に清潔な状態に保たれる。
【００１０】
更に、本発明によれば、シートを開けた状態で盗難防止装置の有無を確認することができるため、ユーザーは例えばヘルメットの出し入れを行う際に盗難防止装置の掛け忘れや外し忘れに容易に気付くことができる。
【００１１】
【発明の実施の形態】
以下に本発明の実施の形態を添付図面に基づいて説明する。
【００１２】
図１は本発明に係る盗難防止装置収納構造を備えたスクータ型自動二輪車の側面図、図２は同自動二輪車後部の側面図、図３は同自動二輪車後部の平面図、図４は盗難防止装置であるＵロックを支持するためのブラケットの斜視図である。
【００１３】
図１に示すスクータ型自動二輪車１において、２は前輪、３は後輪であって、車体は樹脂製の車体カバー４によって覆われており、後輪３はユニットスイング式エンジン５によって回転駆動される。
【００１４】
上記ユニットスイング式エンジン５は、前傾シリンダ６、エアクリーナ７、伝動ケース８等を一体化してユニットとして構成され、これの前端上部は左右一対の車体フレーム９に結着されたブラケット１０にリンク部材１１を介して上下揺動自在に連結されており、同ユニットスイング式エンジン５の後端部はリヤクッション１２によって前記車体フレーム９の後端に懸架されている。尚、このユニットスイング式エンジン５の後端部には前記後輪３が回転自在に支承されている。
【００１５】
而して、上記ユニットスイング式エンジン５の上方であって、且つ、シート１３の下方の前記車体カバー４で覆われる空間には、ヘルメット等を収納するための収納ボックス１４と燃料タンク１５が車体前後方向に並設されている。
【００１６】
上記収納ボックス１４は樹脂にてボックス状に一体成形されており、その上面は開口しており、又、前端上部にはヒンジ１６によって前記シート１３が回動自在に枢着されている。従って、シート１３はヒンジ１６を中心として図１の矢印方向に回動することによって収納ボックス１４を開閉する。
【００１７】
ところで、図示のように、収納ボックス１４と燃料タンク１５との間（つまり、収納ボックス１４の後面と燃料タンク１５の前面との間）には車体前後方向に所定の空間Ｓが形成されている。この空間Ｓは車体前後方向に所定幅（後述のＵロック２０の小径部２０ｂが収納されるに十分な幅）を有して上下に貫設されており、盗難防止装置である後述のＵロック２０を収納するための専用の収納空間を構成している。
【００１８】
他方、前記左右一対の車体フレーム９の後部には、図４に示すような門型のブラケット１６が架設されており、このブラケット１６の幅方向中央部には車体前方に向かって水平に延出するフック部１６ａが形成されている。尚、図１及び図２に示すように、フック部１６ａは前記空間Ｓの上方に位置しており、該フック部１６ａの前端部は上方に起立する受部１６ａ−１を構成している。
【００１９】
又、上記ブラケット１６の幅方向中央部の下面にはシートロック１７が取り付けられており、同中央部には前記シート１３の後部下面に突設された不図示のフック部が入り込むべき矩形孔１６ｂが形成されている。
【００２０】
ところで、当該自動二輪車１の盗難を防ぐために、駐車中において後輪３の回転をロックするための盗難防止装置が使用されるが、該盗難防止装置としては例えばＵロック２０が一般に普及している。
【００２１】
ここで、Ｕロック２０の使用形態を図５乃至図９に基づいて説明する。
【００２２】
図５乃至図７はＵロック２０の一使用形態を示す図であり、図５は自動二輪車後部の側面図、図６は同自動二輪車の部分後面図、図７は図５のＡ−Ａ線断面図である。
【００２３】
Ｕロック２０は、図７に示すように、大径の丸パイプから成る直線状の大径部２０ａと、小径の丸パイプでＵ字状に成形されて大径部２０ａに対して脱着可能な小径部２０ｂとで構成されており、これの使用に際しては、小径部２０ｂを伝動ケース８のブラケット（リヤクッション１２の下端部を支持するためのブラケット）８ａに穿設された円孔８ａ−１に横方向から通し、該小径部２０ｂに大径部２０ａを組み付けて施錠することによって両者を連結ロックする。
【００２４】
すると、図示のように、Ｕロック２０の小径部２０ｂは後輪３のタイヤ３ａの外周に当接して係止されるため、該Ｕロック２０の接地が防がれ、Ｕロック２０に地面の泥やゴミ等が付着することがなく、当該Ｕロック２０の汚れが防がれる。
【００２５】
又、斯かる使用形態においては、Ｕロック２０の取付位置が確定するため、ライダーは当該Ｕロック２０の掛け忘れや外し忘れに容易に気付き、自動二輪車１の盗難が確実に防がれるとともに、Ｕロック２０を取り付けたままの発進が未然に防がれる。
【００２７】
尚、図示しないが、Ｕロック２０の別の使用形態としては、Ｕロック２０の小径部２０ｂを後輪の隙間を通してこれを大径部２０ａに連結した後、大径部２０ａをガードフラップの下端部に形成された保持突起に係止せしめる形態が考えられる。
【００２８】
従って、本使用形態においても、Ｕロック２０の接地が防がれるため、該Ｕロック２０に地面の泥やゴミ等が付着することがなく、Ｕロック２０は常に清潔に保たれる。又、斯かる使用形態においても、Ｕロック２０の取付位置が確定するため、ライダーは当該Ｕロック２０の掛け忘れや外し忘れに容易に気付き、自動二輪車１の盗難が確実に防がれるとともに、Ｕロック２０を取り付けたままの発進が未然に防がれる。尚、この場合、保持突起をリフレクタの座として利用しても良い。
【００２９】
而して、以上のような形態に従って使用されたＵロック２０を取り外して走行する際には、ライダーはシート１３のシートロック１７の施錠を解除してシート１３をヒンジ１６を中心として上方へ回動せしめてこれを開き、Ｕロック２０を前記空間Ｓに簡単に収納することができる。
【００３０】
即ち、図２に鎖線にて示すように、Ｕロック２０の小径部２０ｂを下にして該Ｕロック２０を略垂直に支持し、小径部２０の先端を空間Ｓの上部に挿入した後、Ｕロック２０全体をそのまま垂直下方に降ろせば、図示のように小径部２０ｂは空間Ｓに収納され、大径部２０ａは空間Ｓの上方に出て前記ブラケット１６に形成されたフック部１６ａに係止されてこれに保持される。この結果、図１及び図２に示すように、Ｕロック２０は専用の空間Ｓにコンパクトに収納される。
【００３１】
そして、上述のようにしてＵロック２０が空間Ｓに収納されると、シート１３を閉めてシートロック１７に施錠してこれをロックすれば、Ｕロック２０はシート１３及び車体カバー４によって完全に覆われて外部に露出することがないため、自動二輪車１の外観性がＵロック２０によって損なわれることがなく、Ｕロック２０自体の盗難も防がれる。
【００３２】
以上のように、本実施の形態によれば、盗難防止装置であるＵロック２０を収納するための専用の空間Ｓが収納ボックス１４等とは別に設けられるため、収納ボックス１４への荷物の収納状況に拘らず、ライダーはシート１３を開けることによってＵロック２０を専用の空間Ｓに常に確実に、且つ、コンパクトに収納することができ、或は空間Ｓに収納されていたＵロック２０を容易に取り出してこれを使用することができる。
【００３３】
又、本実施の形態によれば、Ｕロック２０を収納するための空間Ｓは収納ボックス１４等とは完全に分離されているため、濡れたり、泥で汚れたりしたＵロック２０をそのまま収納しても、収納ボックス１４等がＵロック２０によって汚れることがなく、収納ボックス１４等は常に清潔な状態に保たれる。
【００３４】
更に、本実施の形態によれば、シート１３を開けた状態でＵロック２０の有無を確認することができるため、ライダーは例えばヘルメットの出し入れを行う際にＵロック２０の掛け忘れや外し忘れに容易に気付いて適切な処置を施すことができる。
【００３５】
尚、以上は盗難防止装置として特にＵロックを用いた場合について説明したが、本発明は、Ｐロック、その他の形式の盗難防止装置を同様に収納することができる。
【００３６】
【発明の効果】
以上の説明で明らかなように、本発明によれば、盗難防止装置を収納するための専用の収納空間が収納ボックス等とは別に設けられるため、収納ボックスへの荷物の収納状況に拘らず、ユーザーはシートを開けることによって盗難防止装置を専用の空間に常に確実に、且つ、コンパクトに収納することができ、或は空間に収納されていた盗難防止装置を容易に取り出してこれを使用することができるという効果が得られる。そして、盗難防止装置を空間に収納した状態でシートを閉めれば、盗難防止装置はシート及び車体カバーによって完全に覆われて外部に露出することがないため、自動二輪車の外観性が盗難防止装置によって損なわれることがなく、盗難防止装置自体の盗難も防がれる。
【００３７】
又、本発明によれば、盗難防止装置を収納するための空間は収納ボックス等とは完全に分離されているため、濡れたり、泥で汚れたりした盗難防止装置をそのまま収納しても、収納ボックス等が盗難防止装置によって汚れることがなく、収納ボックス等は常に清潔な状態に保たれるという効果が得られる。
【００３８】
更に、本発明によれば、シートを開けた状態で盗難防止装置の有無を確認することができるため、ユーザーは例えばヘルメットの出し入れを行う際に盗難防止装置の掛け忘れや外し忘れに容易に気付くことができるという効果が得られる。
【図面の簡単な説明】
【図１】  本発明に係る盗難防止装置収納構造を備えたスクータ型自動二輪車の側面図である。
【図２】  本発明に係る盗難防止装置収納構造を備えたスクータ型自動二輪車後部の平面図である。
【図３】  本発明に係る盗難防止装置収納構造を備えたスクータ型自動二輪車後部の平面図である。
【図４】  Ｕロックを支持するためのブラケットの斜視図である。
【図５】  Ｕロックの使用形態を示す自動二輪車後部の側面図である。
【図６】  Ｕロックの一使用形態を示す自動二輪車の部分後面図である。
【図７】  図５のＡ−Ａ線断面図である。
【符号の説明】
１        自動二輪車
４        車体カバー
１３      シート
１４      収納ボックス
１５      燃料タンク（他の部品）
１６      ブラケット
２０      Ｕロック（盗難防止装置）
２０ａ    Ｕロックの大径部
２０ｂ    Ｕロックの小径部
Ｓ        空間
【図１】
0003734879.tif 000002
【図２】
0003734879.tif 000003
【図３】
0003734879.tif 000004
【図４】
0003734879.tif 000005
【図５】
0003734879.tif 000006
【図６】
0003734879.tif 000007
【図７】
0003734879.tif 000008